【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
エアの供給を受けて動作する機器と、
前記機器に供給される前記エアの状態を検出可能なセンサと、
制御部と、を有し、
前記制御部は、
前記機器の動作シーケンスにおける所定の動作状態に関する情報と、前記センサからの検出結果とに基づき、前記機器において前記エアの漏洩を検出する、
ことを特徴とする情報処理システム。
【請求項２】
請求項１に記載の情報処理システムにおいて、
前記制御部は、
前記所定の動作状態に対応する閾値の情報と、前記センサからの前記検出結果と、を比較することで前記漏洩を検出する、
ことを特徴とする情報処理システム。
【請求項３】
請求項２に記載の情報処理システムにおいて、
前記機器は複数存在し、
前記制御部は、
前記複数の機器における前記閾値の情報と、前記センサからの前記検出結果と、を比較することで、前記機器のうち前記漏洩が発生している機器を特定する、
ことを特徴とする情報処理システム。
【請求項４】
請求項１から３のいずれか１項に記載の情報処理システムにおいて、
前記機器はエアシリンダを含み、
前記制御部は、
前記所定の動作状態としてピストンロッドと摺擦するロッドパッキンによって封止される空間に前記エアが供給されている状態である第１状態の情報と、前記第１状態に対応する閾値として第１閾値の情報と、を有している、
ことを特徴とする情報処理システム。
【請求項５】
請求項４に記載の情報処理システムにおいて、
前記制御部は、
前記所定の動作状態として、前記ピストンロッドと共に移動するピストンパッキンによって封止される空間に前記エアが供給されている状態である第２状態の情報をさらに有している、
ことを特徴とする情報処理システム。
【請求項６】
請求項１から５のいずれか１項に記載の情報処理システムにおいて、
前記制御部は、
前記センサからの検出結果を所定の増幅率で増幅してから、閾値と比較する、
ことを特徴とする情報処理システム。
【請求項７】
請求項６に記載の情報処理システムにおいて、
前記所定の増幅率は、前記機器の機能に応じて設定されている、
ことを特徴とする情報処理システム。
【請求項８】
請求項１から７のいずれか１項に記載の情報処理システムにおいて、
前記エアの状態を検出する際の前記センサを模擬する模擬装置を備えている、
ことを特徴とする情報処理システム。
【請求項９】
請求項８に記載の情報処理システムにおいて、
前記制御部は、
前記模擬装置を用いて前記所定の動作状態に対応する閾値を設定する、
ことを特徴とする情報処理システム。
【請求項１０】
請求項８または９に記載の情報処理システムにおいて、
前記制御部は、
前記模擬装置を用いて前記センサからの検出結果を増幅する所定の増幅率を設定する、
ことを特徴とする情報処理システム。
【請求項１１】
請求項１から１０のいずれか１項に記載の情報処理システムにおいて、
前記センサを複数備え、
前記制御部は、
前記所定の動作状態に応じて複数の前記センサからの検出結果中から信号強度が最も大きなセンサからの検出結果を選択して、閾値と比較する、
ことを特徴とする情報処理システム。
【請求項１２】
請求項１から１１のいずれか１項に記載の情報処理システムにおいて、
エアを噴出するエア機器を備えており、
前記制御部は、
前記機器が前記所定の動作状態において、前記エア機器が動作する場合は、前記センサに基づく前記漏洩の検出を行わない、
ことを特徴とする情報処理システム。
【請求項１３】
請求項１２に記載の情報処理システムにおいて、
前記機器はエアシリンダを含み、
前記制御部は、
前記機器においてピストンロッドと共に移動するピストンパッキンによって封止される空間に前記エアが供給されている状態である第２状態で前記エア機器が動作する場合は、前記センサに基づく前記漏洩の検出を行わない、
ことを特徴とする情報処理システム。
【請求項１４】
請求項１２または１３に記載の情報処理システムにおいて、
前記制御部は、
前記機器における前記所定の動作状態と、前記センサの検出結果に基づき、前記エア機器が正常に動作しているか否かを検知する、
ことを特徴とする情報処理システム。
【請求項１５】
請求項１３または１４に記載の情報処理システムにおいて、
エアを吸引する真空機器を備えており、
前記制御部は、
前記エア機器における動作状態と、前記センサの検出結果に基づき、前記真空機器が正常に動作しているか否かを検知する、
ことを特徴とする情報処理システム。
【請求項１６】
請求項１から１５のいずれか１項に記載の情報処理システムにおいて、
前記センサは、音を検出することで前記機器に供給される前記エアの状態を検出する、
ことを特徴とする情報処理システム。
【請求項１７】
請求項１６に記載の情報処理システムにおいて、
前記音として超音波を検出する、
ことを特徴とする情報処理システム。
【請求項１８】
エアの供給を受けて動作する機器を備えた生産装置と、
前記機器に供給される前記エアの状態を検出可能なセンサと、
制御部と、を有し、
前記制御部は、
前記機器の動作シーケンスおける所定の動作状態に関する情報と、前記センサからの検出結果とに基づき、前記機器において前記エアの漏洩を検出する、
ことを特徴とする生産システム。
【請求項１９】
請求項１８に記載の生産システムを用いて物品の製造を行うことを特徴とする物品の製造方法。
【請求項２０】
エアの供給を受けて動作する機器と、前記機器に供給される前記エアの状態を検出可能なセンサと、制御部と、を有した情報処理システムの制御方法であって、
前記制御部は、
前記機器の動作シーケンスにおける所定の動作状態に関する情報と、前記センサからの検出結果とに基づき、前記機器において前記エアの漏洩を検出する、
ことを特徴とする制御方法。
【請求項２１】
請求項２０に記載の制御方法において、
前記制御部は、
前記所定の動作状態に対応する閾値の情報と、前記センサからの前記検出結果と、を比較することで前記漏洩を検出する、
ことを特徴とする制御方法。
【請求項２２】
請求項２１に記載の制御方法において、
前記機器は複数存在し、
前記制御部は、
前記複数の機器における前記閾値の情報と、前記センサからの前記検出結果と、を比較することで、前記機器のうち前記漏洩が発生している機器を特定する、
ことを特徴とする制御方法。
【請求項２３】
請求項２０から２２のいずれか１項に記載の制御方法をコンピュータで実行可能な制御プログラム。
【請求項２４】
請求項２３に記載の制御プログラムを格納したコンピュータで読み取り可能な記録媒体。
【請求項２５】
機器に供給されるエアの状態を検出可能なセンサに接続される情報処理装置であって、
制御部が、
前記機器の動作シーケンスにおける所定の動作状態に関する情報と、前記センサからの検出結果とに基づき、前記機器において前記エアの漏洩を検出する、
ことを特徴とする情報処理装置。
【請求項２６】
請求項２５に記載の情報処理装置において、
前記制御部は、
前記所定の動作状態に対応する閾値の情報と、前記センサからの前記検出結果と、を比較することで前記漏洩を検出する、
ことを特徴とする情報処理装置。
【請求項２７】
請求項２６に記載の情報処理装置において、
前記機器は複数存在し、
前記制御部は、
前記複数の機器における前記閾値の情報と、前記センサからの前記検出結果と、を比較することで、前記機器のうち前記漏洩が発生している機器を特定する、
ことを特徴とする情報処理装置。
【請求項２８】
機器に供給されるエアの状態を検出可能なセンサに接続される情報処理装置の制御方法であって、
制御部が、
前記機器の動作シーケンスにおける所定の動作状態に関する情報と、前記センサからの検出結果とに基づき、前記機器において前記エアの漏洩を検出する、
ことを特徴とする制御方法。
【請求項２９】
請求項２８に記載の制御方法において、
前記制御部は、
前記所定の動作状態に対応する閾値の情報と、前記機器が前記所定の動作状態における前記センサからの前記検出結果と、を比較することで前記漏洩を検出する、
ことを特徴とする制御方法。
【請求項３０】
請求項２９に記載の制御方法において、
前記機器は複数存在し、
前記制御部は、
前記複数の機器における前記閾値の情報と、前記センサからの前記検出結果と、を比較することで、前記機器のうち前記漏洩が発生している機器を特定する、
ことを特徴とする制御方法。
【請求項３１】
機器に供給されるエアの状態を検出可能なセンサに接続され、制御部が前記機器の動作シーケンスにおける所定の動作状態に対応する閾値と、前記センサからの検出結果とに基づき、前記機器において前記エアの漏洩を検出する情報処理装置における前記閾値を設定するための模擬装置であって、
前記エアの状態を検出する際の前記センサの挙動を模擬的に出力できる、
ことを特徴とする模擬装置。
【手続補正２】
【補正対象書類名】明細書
【補正対象項目名】発明の名称
【補正方法】変更
【補正の内容】
【発明の名称】情報処理システム、生産システム、物品の製造方法、制御方法、プログラム、記録媒体、情報処理装置、模擬装置
【手続補正３】
【補正対象書類名】明細書
【補正対象項目名】０００１
【補正方法】変更
【補正の内容】
【０００１】
本発明は、圧縮エアの供給を受けて動作するエア機器を複数備えた装置系において、圧縮エアの漏洩を監視する漏洩監視システム、等に関する。特に、例えばエアシリンダやエアブロー等のエア機器を複数備えた生産装置系において好適に用いられる漏洩監視システムに関する。
【手続補正４】
【補正対象書類名】明細書
【補正対象項目名】０００９
【補正方法】変更
【補正の内容】
【０００９】
本発明の一態様は、エアの供給を受けて動作する機器と、前記機器に供給される前記エアの状態を検出可能なセンサと、制御部と、を有し、前記制御部は、前記機器の動作シーケンスにおける所定の動作状態に関する情報と、前記センサからの検出結果とに基づき、前記機器において前記エアの漏洩を検出する、ことを特徴とする情報処理システムである。
また、本発明の別の一態様は、エアの供給を受けて動作する機器を備えた生産装置と、前記機器に供給される前記エアの状態を検出可能なセンサと、制御部と、を有し、前記制御部は、前記機器の動作シーケンスおける所定の動作状態に関する情報と、前記センサからの検出結果とに基づき、前記機器において前記エアの漏洩を検出する、ことを特徴とする生産システムである。
【手続補正５】
【補正対象書類名】明細書
【補正対象項目名】００１０
【補正方法】変更
【補正の内容】
【００１０】
また、本発明の別の一態様は、エアの供給を受けて動作する機器と、前記機器に供給される前記エアの状態を検出可能なセンサと、制御部と、を有した情報処理システムの制御方法であって、前記制御部は、前記機器の動作シーケンスにおける所定の動作状態に関する情報と、前記センサからの検出結果とに基づき、前記機器において前記エアの漏洩を検出する、ことを特徴とする制御方法である。
また、本発明の別の一態様は、機器に供給されるエアの状態を検出可能なセンサに接続される情報処理装置であって、制御部が、前記機器の動作シーケンスにおける所定の動作状態に関する情報と、前記センサからの検出結果とに基づき、前記機器において前記エアの漏洩を検出する、ことを特徴とする情報処理装置である。
また、本発明の別の一態様は、機器に供給されるエアの状態を検出可能なセンサに接続される情報処理装置の制御方法であって、制御部が、前記機器の動作シーケンスにおける所定の動作状態に関する情報と、前記センサからの検出結果とに基づき、前記機器において前記エアの漏洩を検出する、ことを特徴とする制御方法である。
【手続補正６】
【補正対象書類名】明細書
【補正対象項目名】００１１
【補正方法】変更
【補正の内容】
【００１１】
また、本発明の別の一態様は、機器に供給されるエアの状態を検出可能なセンサに接続され、制御部が前記機器の動作シーケンスにおける所定の動作状態に対応する閾値と、前記センサからの検出結果とに基づき、前記機器において前記エアの漏洩を検出する情報処理装置における前記閾値を設定するための模擬装置であって、前記エアの状態を検出する際の前記センサの挙動を模擬的に出力できる、ことを特徴とする模擬装置である。